【事件の表示】
　特願２００２−１０５５２１「パチンコ遊技機」拒絶査定不服審判事件〔平成１５年１０月２１日出願公開、特開２００３−２９９８２９〕について、次のとおり審決する。
【結　論】
　本件審判の請求は、成り立たない。
【理　由】
１．手続の経緯 
　本願は、平成１４年４月８日の出願であって、平成１８年５月２４日付けで拒絶査定不服審判が請求された後、当審にて平成２１年１月１９日付けで拒絶理由（最初）が通知され、同年３月２６日付けで手続補正がされたものである。　 
　
２．本願発明 
　本願の請求項１に記載された発明は、平成２１年３月２６日付けの手続補正により補正された明細書の特許請求の範囲の請求項１に記載された以下のとおりのものと認める。
　 
「遊技領域の中央に配置され、始動入賞口に遊技球が入賞すると、複数の図柄を変動表示する図柄変動表示装置と、抽選用の乱数を取得して大当たりの抽選を行なう抽選手段と、を具備し、該抽選手段の抽選結果に基づき該図柄変動表示装置の複数の図柄が変動表示され、所定の図柄に揃って停止したとき、大当たり状態となるパチンコ遊技機において、
　大当たり状態のときに開放される４個の電動チューリップ式の電動入賞口が前記図柄変動表示装置の左右の遊技領域に２個ずつに分かれて設けられ、大当たり時に抽選を行って該４個の電動入賞口の開放順序と該電動入賞口の上限開放回数を決定する開放順序抽選手段が設けられ、該開放順序抽選手段の抽選結果に基づく抽選順序により、該４個の電動入賞口が順に開放される際、所定の条件が成立したとき、次に開放される電動入賞口を示す符号または番号を表示する開放役物表示器が該図柄変動表示装置の上方に設けられ、且つ次に開放される電動入賞口を示すように点灯表示する点灯表示ランプが各電動入賞口に設けられたことを特徴とするパチンコ遊技機。」（以下、「本願発明」という。） 
　 
３．引用文献　 
　当審の拒絶の理由で引用された特開２００１−７９１９０号公報（以下、「引用文献１」という。）には、以下の事項が図面とともに記載されている。
・記載事項１
　「それぞれが個別に入球率を変化させることが可能、かつ所定の連動開放順位が設定された複数の可変入賞装置を具備して成り、前記連動開放順位の第一位に設定された可変入賞装置にあっては所定の初期開放条件が満たされた場合に所定の期間だけ入球率が高くなるようにし、かつ前記連動開放順位の第二位以降に設定された可変入賞装置にあっては当該連動開放順位において直前の順位に設定された可変入賞装置に対する入球検出を契機として所定の開放条件が満たされた場合に所定の期間だけ入球率が高くなるようにしたパチンコ機において、
　前記複数の可変入賞装置の少なくとも２つに対して互いに賞球数が異なるように設定し、かつ所定の変更条件が満たされた場合に前記連動開放順位を変更するようにしたことを特徴とするパチンコ機。」（【特許請求の範囲】【請求項１】）
・記載事項２
　「このパチンコ機１の遊技盤２には、ガイドレール３で囲まれる遊技領域４に中央普通図柄表示装置１０を設けてある。中央普通図柄表示装置１０は、遊技領域４のほぼ中央となる位置に配置したもので、複数の表示域、例えば３つの表示域を有し、これらの表示域に互いに異なる複数の図柄（数字、記号、絵など）を可変表示することが可能である。」（段落【００１２】）
・記載事項３
　「これら普通電動役物３０はそれぞれ、入球率が低く（あるいは入球率がゼロで）、打ち出された遊技球の入球が困難な第一入球状態と、入球率が高く遊技球が入球し易い第二入球状態と、に切り替わるもので、一対の可動翼片３１と普通電役駆動ソレノイド３２とを備えた電動チューリップによって構成してある。すなわち、各普通電動役物３０においては、普通電役駆動ソレノイド３２がＯＦＦの場合、図１（ｂ）中の二点鎖線で示すように、一対の可動翼片３１がそれぞれ直立し、互いの間に遊技球を唯一通過させることができる程度の間隔を確保して上述した第一入球状態となる一方、上記普通電役駆動ソレノイド３２がＯＮすると、図１（ｂ）中の実線で示すように、一対の可動翼片３１がそれぞれ開放され、互いの間に大きな間隔を確保して上述した第二入球状態となる。」（段落【００１６】）
・記載事項４
　「遊技領域４内を流下する遊技球が、始動入賞装置２０に入球し、中央普図始動スイッチＳＷ２２によって当該遊技球の通過が検出されると、手順がステップＳ２に進み、遊技制御用ＣＰＵ４１からの制御信号により中央普通図柄表示装置１０が所定の変動時間だけ可変表示を開始する。」（段落【００２９】）
・記載事項５
　「所定の変動時間の経過後に、中央普通図柄表示装置１０の各表示域に表示された停止図柄が予め設定した初期開放条件を満たす場合、例えば「１１１」、「２２２」、「☆☆☆」などのようにゾロ目となった場合（以下、単に大当たり図柄という）にはステップＳ３において大当たりとなり、手順がステップＳ４に進んで連動開放順位の抽選が実施される。」（段落【００３１】）
・記載事項６
　「ここで連動開放順位とは、後述するように３つの普通電動役物３０Ｕ，３０Ｍ，３０Ｌを連動させて第一入球状態から第二入球状態に切り替えるための順番であり、例えば本実施形態の場合には、図５に示すように、３つの普通電動役物３０Ｕ，３０Ｍ、３０Ｌに対して互いに異なる６種類の連動開放順位を予めＲＯＭ４２に格納してある。」（段落【００３２】）
・記載事項７
　「ステップＳ４で実施される連動開放順位の抽選にあっては、例えば中央普通図柄表示装置１０の表示を切り替えた後、上述したＡからＦの図柄を可変表示させ、その停止結果に従うようにすればよいが、３つの普通図柄表示装置３５Ｕ，３５Ｍ，３５Ｌにそれぞれ連動開放順位に相当する数字を可変表示してその停止結果に従う、あるいは３つの報知ランプ３７Ｕ，３７Ｍ，３７Ｌにそれぞれ連動開放順位に相当する色彩を可変表示してその停止結果に従う、さらには抽選専用の表示装置を設け、この表示装置を用いて抽選を実施する等々、適宜の方法を適用することができる。」（段落【００３３】）
・記載事項８
　「ステップＳ４で連動開放順位の抽選を実施した遊技制御用ＣＰＵ４１は、次にこの抽選結果に応じて連動開放順位を設定し（ステップＳ５）、さらにこの設定した内容を遊技者に対して報知する（ステップＳ６）。すなわち、遊技制御用ＣＰＵ４１は、連動開放順位に従って各普通電動役物３０の報知ランプ３７を点灯させるなどして、普通電動役物３０の連動開放順位を遊技者に対して認知する。なお、ステップＳ４において普通図柄表示装置３５を適用したり、報知ランプ３７を適用した場合には、これらの抽選結果がそのまま遊技者への報知となるため、当該ステップＳ６を省略しても構わない。」（段落【００３４】）
・記載事項９
　「以上の処理を実施した遊技制御用ＣＰＵ４１は、次いで大当たり処理を実施する（ステップＳ７）。この大当たり処理では、まず、連動開放順位の第一位に設定された普通電動役物３０（以下、第一位に設定された普通電動役物３０およびその構成要素にはそれぞれ「第一位」の語をつけて説明する）の第一位普通電役駆動ソレノイド３２がＯＮされ、一対の第一位可動翼片３１がそれぞれ開放することによって当該第一位普通電動役物３０が所定の期間だけ第二入球状態となる。」（段落【００３５】）
・記載事項１０
　「変動時間の経過後に第一位普通図柄表示装置３５に表示された図柄が予め設定した開放条件を満たす場合、例えば「７」（以下、単に当たり図柄という）である場合、上記遊技制御用ＣＰＵ４１は、連動開放順位の第二位に設定された普通電動役物３０（以下、第二位に設定された普通電動役物３０およびその構成要素にはそれぞれ「第二位」の語をつけて説明する）の第二位普通電役駆動ソレノイド３２をＯＮし、一対の第二位可動翼片３１をそれぞれ開放することによって当該第二位普通電動役物３０を所定の期間だけ第二入球状態とする。」（段落【００３９】）
・記載事項１１
　「第二普通電動役物３０が第二入球状態にある場合において、遊技領域４内を流下する遊技球が、当該第二位普通電動役物３０に入球し、第二位普図始動スイッチＳＷ３４によって当該遊技球の通過が検出されると、遊技制御用ＣＰＵ４１からの制御信号により、連動開放順位の第三位に設定された普通電動役物３０（以下、第三位に設定された普通電動役物３０およびその構成要素にはそれぞれ「第三位」の語をつけて説明する）の第三位普通電役駆動ソレノイド３２をＯＮし、一対の第三位可動翼片３１をそれぞれ開放することによって当該第二位普通電動役物３０を所定の期間だけ第二入球状態とする。」（段落【００４１】）
　
　以上の記載事項１〜１１を含む全記載及び図示によれば、引用文献１には次の発明が記載されていると認められる。
　「遊技領域のほぼ中央に配置され、始動入賞装置２０に入球すると、複数の図柄を変動表示する中央普通図柄表示装置１０と、中央普通図柄表示装置１０の各表示域に表示された停止図柄がゾロ目となった場合に大当たりとなるパチンコ機において、
　大当り処理において、所定の期間だけ入球率が高く遊技球が入球し易い第二入球状態となる電動チューリップからなる普通電動役物３０が３個設けられ、大当り時に抽選を行って普通電動役物３０の連動開放順位を決定する手段が設けられ、当該手段の抽選結果に基づく連動開放順位により、３個の普通電動役物３０が第二入球状態になるとともに、
　大当り処理の前に、連動開放順位に従って各普通電動役物３０の報知ランプ３７を点灯させて、普通電動役物３０の連動開放順位を遊技者に対して認知させる、パチンコ機。」（以下、引用発明という。）
　
４．対比・判断
　本願発明と引用発明を対比する。
　引用発明の「始動入賞装置２０」、「電動チューリップからなる普通電動役物３０」、「（連動開放順位を決定する）手段」、「報知ランプ３７」は、本願発明の「始動入賞口」、「電動チューリップ式の電動入賞口」、「開放順序抽選手段」、「点灯表示ランプ」に相当する。また、引用発明の「遊技領域のほぼ中央に配置され、始動入賞装置２０に入球すると、複数の図柄を変動表示する中央普通図柄表示装置１０」は、本願発明の「遊技領域の中央に配置され、始動入賞口に遊技球が入賞すると、複数の図柄を変動表示する図柄変動表示装置」に相当する。
　そして、引用発明について、以下のことがいえる。
（１）「中央普通図柄表示装置１０の各表示域に表示された停止図柄がゾロ目となった場合に大当たりとなるパチンコ機」について
　当該記載によれば、停止図柄がゾロ目となった場合には大当たりとなり、ゾロ目とならなかった場合には大当たりとならないということであり、引用発明は大当たりの抽選を行っているものということができ、そのための手段が当然設けられているものと認められる。
　そうすると、引用発明は、本願発明の構成である「大当たりの抽選を行なう抽選手段を具備し、図柄変動表示装置の複数の図柄が変動表示され、所定の図柄に揃って停止したとき、大当たり状態となるパチンコ遊技機」に相当する構成を実質的に具備するものである。
（２）「大当り処理において、所定の期間だけ入球率が高く遊技球が入球し易い第二入球状態となる電動チューリップからなる普通電動役物３０が３個設けられ、大当り時に抽選を行って普通電動役物３０の連動開放順位を決定する手段が設けられ、」について
　「第二入球状態」が普通電動役物３０が「開放」された状態であることは明らかであって、「大当り処理において、所定の期間だけ入球率が高く遊技球が入球し易い第二入球状態となる」は「大当たり状態のときに開放される」といいかえられる。また、普通電動役物３０が遊技領域に設けられることは当然のことであって、引用文献１の図１の図示からも遊技領域に設けられることがわかる。更に、「連動開放順位」が「開放順序」を意味していることは明らかである。
　そうすると、引用発明は、本願発明の「大当たり状態のときに開放される電動チューリップ式の電動入賞口が遊技領域に設けられ、大当たり時に抽選を行って電動入賞口の開放順序を決定する開放順序抽選手段が設けられ」に相当する構成を実質的に具備するものである。
（３）「大当り処理の前に、連動開放順位に従って各普通電動役物３０の報知ランプ３７を点灯させて、普通電動役物３０の連動開放順位を遊技者に対して認知させる」について
　「報知ランプ３７」は「各普通電動役物３０」に設けられたものということができる。また、開放毎か大当たり処理の前かは別として、引用発明の報知ランプ３７も本願発明の点灯表示ランプも「開放順序抽選手段の抽選結果に基づく抽選順序により・・開放される電動入賞口を示すように点灯表示する」点で一致している。
　
　そうすると、本願発明と引用発明は、 
　「遊技領域の中央に配置され、始動入賞口に遊技球が入賞すると、複数の図柄を変動表示する図柄変動表示装置と、大当たりの抽選を行なう抽選手段を具備し、図柄変動表示装置の複数の図柄が変動表示され、所定の図柄に揃って停止したとき、大当たり状態となるパチンコ遊技機において、
　大当たり状態のときに開放される電動チューリップ式の電動入賞口が遊技領域に設けられ、大当たり時に抽選を行って電動入賞口の開放順序を決定する開放順序抽選手段が設けられ、開放順序抽選手段の抽選結果に基づく抽選順序により開放される電動入賞口を示すように点灯表示する点灯表示ランプが各電動入賞口に設けられたパチンコ遊技機。」である点で一致し、以下の点で相違する。  
＜相違点１＞
　本願発明では、大当たりの抽選が抽選用乱数を取得して行われ、抽選結果に基づき複数の図柄が変動表示されるのに対して、引用発明ではそのような構成を有するか不明である点。 
＜相違点２＞
　電動入賞口が、本願発明では４個で図柄変動表示装置の左右の遊技領域の２個ずつに分かれて設けられているのに対して、引用発明ではそのような構成となっていない点。
＜相違点３＞
　開放順序抽選手段が、本願発明では電動入賞口の上限開放回数を決定するのに対し、引用発明ではそのような構成となっていない点。
＜相違点４＞
　開放順序抽選手段の抽選結果に基づく抽選順序により開放される電動入賞口を示すように点灯表示する点灯表示ランプが、本願発明では、電動入賞口が順に開放される際、所定の条件が成立したとき、次に開放される電動入賞口を示すように点灯表示するのに対し、引用発明ではそのような構成となっていない点。
＜相違点５＞
　本願発明では、電動入賞口が順に開放される際、所定の条件が成立したとき、次に開放される電動入賞口を示す符号または番号を表示する開放役物表示器が図柄変動表示装置の上方に設けられているのに対し、引用発明ではそのような構成となっていない点。
　
５．判断
　上記各相違点について検討する。
＜相違点１＞について
　パチンコ遊技機において、大当たり抽選を抽選用乱数を取得して行い、抽選結果に基づき図柄の変動表示を行うことは、慣用手段である。
　したがって、引用発明において当該慣用手段を採用し、相違点１に係る本願発明の構成とすることは当業者であれば容易に想到し得たことである。
＜相違点２＞について
　変動入賞装置（本願発明の電動入賞口に相当）２４、２６を図柄表示装置１４の左右に分かれて配置することは、当審の拒絶の理由で引用された特開平１０−１６５５８１号（以下、引用文献２という）に記載されている。そして、左右の遊技領域にそれぞれ何個の入賞口を設けるかは、遊技性を考慮して適宜決定すればよい程度のことであって、単なる設計事項に過ぎない。
　そうすると、引用発明１に引用文献２に記載された技術事項を適用して、その電動入賞口を図柄変動表示装置の左右に分かれたものとし、その際に左右の遊技領域の電動入賞口を２個ずつとすることにより、相違点２に係る本願発明の構成とすることは当業者であれば容易に想到したことである。
＜相違点３＞について
　抽選結果に応じて開放回数を決定することは、当審の拒絶の理由で引用された特開平１１−２０６９８３号公報（段落００６８参照）（以下、引用文献３という。）に記載されている。
　そうすると、引用発明１において引用文献３に記載された技術事項を適用して、開放順序抽選手段が電動入賞口の上限開放回数を決定するようにし、相違点３に係る本願発明の構成とすることは当業者であれば容易に想到したことである。
＜相違点４＞について
　上記引用文献２において、狙目表示手段としてのランプＬ１〜Ｌ３の点灯とそれと対応する変動入賞装置２２、２４、２６の開放は同時に行われている。一方、遊技機において、電動入賞口の開放が行われることが事前に報知されれば遊技者が確実に対応（遊技球を適切なタイミング、場所へ発射）することができるということは常識であって、また、当審の拒絶の理由で引用された特開平１０−３３７６８号公報（段落０１４４、図１３参照）（以下、引用文献４という。）にも記載されている。
　そうすると、上記「＜相違点２＞について」で検討したように、引用文献２に記載された技術事項を適用するのに際して、ランプＬ１〜Ｌ３の点灯を電動入賞口の開放の前に行うことととし、「次に開放される電動入賞口を示す点灯表示を行う」ものとすることは適宜採用する設計事項に過ぎない。
　また、遊技者にとって有利となる報知を所定の条件の成立（抽選による当選等）によって行うことは従来周知のことであり（一例として挙げれば、パチスロ機の「ゲゲゲの鬼太郎ＳＰ」のＡＴは１／２の抽選によって突入する）、上記のように次に開放される電動入賞口の報知を行うに際して、「所定の条件が成立したとき」とすることは適宜採用する設計事項に過ぎない。
　以上により、相違点４に係る本願発明の構成とすることは、当業者であれば容易に想到し得たことである。
＜相違点５＞について
　当審の拒絶の理由で引用された特開平２００１−７９１８３号公報（以下、引用文献５という。）には、以下の記載がある。
ア）「権利Ａ発生遊技状態となった場合には、・・・遊技領域１の右側にパチンコ球の流れを展開させる必要がある一方、・・・権利Ｂ発生遊技状態となった場合には、・・・遊技領域１の右側にパチンコ球の流れを展開させる必要がある」（【要約】【解決手段】）
イ）「パチンコ機の遊技領域１００には、ほぼ中央に、普通電動役物１１０が設けられいる。そして、普通電動役物１１０の上部には、電気的に開閉されるチューリップ式の入賞口１１１が設けられている。また、チューリップ式の入賞口１１１の下側には、普通図柄表示装置１１２と、回動部材である振分装置１１３が設けられている。・・・また、振分装置１１３の下側には、ランプＡ１１５Ａ、ランプＢ１１５Ｂが設けられている。」（段落【００３７】）
ウ）「Ｓ１０５における「当たり判定」が当たりＡであると判断した場合には（Ｓ１０７：ＹＥＳ）、Ｓ１０８に進み、ランプＡ１１５Ａを点灯させる・・・パチンコ球が図示しないＶゾーンＡを通過したことを確認すると、Ｓ１１０に進み、第１権利発生遊技状態である権利Ａ発生遊技状態となる。」（段落【００４９】）
エ）「一方、Ｓ１０５における「当たり判定」が当たりＡでないと判断した場合には（Ｓ１０７：ＮＯ）、Ｓ１１１に進み、ランプＢ１１５Ｂを点灯させる・・・パチンコ球が図示しないＶゾーンＢを通過したことを確認すると、Ｓ１１３に進み、第２権利発生遊技状態である権利Ｂ発生遊技状態となる。」（段落【００５１】）
オ）「例えば、第１実施の形態と第２実施の形態のパチンコ機においては、「当たり判定」が行われた場合には、当たりＡであるか否かに関係なく、普通図柄表示装置３、１１２の３つの画面に、当たり図柄を表示していたが（図５のＳ３、図６のＳ１０５）、当たりＡであるか否かと当たり図柄を対応させて、異なる当たり図柄を表示させてもよい。」（段落【００６０】）
カ）図３には、「Ａ」、「Ｂ」との表示がある「ランプＡ１１５Ａ」及び「ランプＢ１１５Ｂ」が図示されている。
　上記記載イ〜エ、カにおける「ランプＡ１１５Ａ」及び「ランプＢ１１５Ｂ」は遊技者にパチンコ球を狙うべき場所（遊技領域の右側または左側）を点灯により報知するもので、「ランプＡ１１５Ａ」及び「ランプＢ１１５Ｂ」の「Ａ」、「Ｂ」との表示は符号と解することができる。また、上記記載オのように、当たりＡであるか否かと当たり図柄を対応させて、異なる当たり図柄を「普通図柄表示装置３、１１２」に表示した場合には、その「当たり図柄」は、遊技者にパチンコ球を狙うべき場所（遊技領域の右側または左側）を図柄により報知するものである。そして、「ランプＡ１１５Ａ」及び「ランプＢ１１５Ｂ」、「普通図柄表示装置３、１１２」は遊技領域の中央に配置されたものであることは明らかである。
　したがって、引用文献５には、遊技者にパチンコ球を狙うべき場所を示す符号または番号を表示する表示器を遊技領域の中央に配置するという技術事項が記載されていると認められる。
　また、一般に表示器を具体的にどのような場所に配置するかは、その重要度、他の機器との関係等を考慮して、適宜決定すればよい設計事項に過ぎないものである。
　そうすると、注意を喚起するものを複数設ければより確実に注意喚起できることは一般常識であるから、次に開放される電動入賞口を示すように点灯表示する点灯表示ランプに加えて、同様の条件（電動入賞口が順に開放される際、所定の条件が成立したとき、次に開放される電動入賞口を示す）で、狙うべき場所である次に開放される電動入賞口を示す符号または番号を表示する表示器を図柄変動表示装置の上方に設け、相違点５に係る本願発明の構成とすることは、当業者であれば容易に想到し得たことである。
　
　そして、本願発明の効果は、引用発明、引用文献２〜５及び上記周知技術に記載された技術事項から当業者が予測できる範囲のものである。
　
　したがって、本願発明は、引用発明、引用文献２〜５に記載された技術事項及び上記周知技術に基づいて、当業者が容易に発明をすることができたものである。
　
６．まとめ
　以上のとおり、本願発明は、引用発明、引用文献２〜５及び上記周知技術に記載された技術事項に基づいて、当業者が容易に発明をすることができたものであるから、特許法２９条２項の規定により特許を受けることができない。 
　したがって、本願は、他の請求項について検討するまでもなく、拒絶すべきものである。
　よって、結論のとおり審決する。